【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
移動体に搭載される通信装置（１０）であって、
第１の通信方式を用いて通信を行う第１の通信部（１０１）と、
第２の通信方式または第３の通信方式を用いて通信を行う第２の通信部（１０２）と、
前記移動体が移動を予定している移動予定位置を取得する予定位置取得部（１０３）と、
位置情報と対応付けられた前記第１乃至第３の通信方式の通信環境を示す通信環境情報が保存されている保存部（１０４）と、
前記通信環境情報に基づいて、前記移動予定位置のうち、前記第１の通信方式、前記第２の通信方式、および前記第３の通信方式のいずれを用いても通信可能な位置を切替可能位置として特定する特定部（１０５）と、
前記切替可能位置において、前記第２の通信部の通信方式を、通信中の通信方式である前記第２の通信方式から前記第３の通信方式に切替える切替部（１０６）と、を備え、
前記第１の通信部は、前記切替部が前記第２の通信部の前記通信方式を切替える間、前記第１の通信方式を用いて通信を行い、前記第２の通信部は、前記切替部での前記通信方式の切替えが完了すると、前記第３の通信方式を用いて通信を開始する、
通信装置。
【請求項２】
前記通信環境情報は通信品質を示す情報であり、
前記特定部はさらに、前記第２の通信方式の前記通信品質が所定の品質閾値以下となる位置を特定するとともに、前記移動体が前記位置よりも時間的に前に通過する前記切替可能位置を特定する、
請求項１記載の通信装置。
【請求項３】
前記通信環境情報は通信品質を示す情報であり、
前記特定部はさらに、前記第２の通信方式の前記通信品質が前記第３の通信方式の前記通信品質以下となる位置を特定するとともに、前記位置に最も近い前記切替可能位置を特定する、
請求項１記載の通信装置。
【請求項４】
前記通信環境情報は通信速度を示す情報であり、
前記切替部は、前記通信速度に基づいて、前記第２の通信方式を用いてデータを送信するのに要する第１の送信時間および前記第３の通信方式を用いて前記データを送信するのに要する第２の送信時間を求め、前記第１の送信時間が所定の時間閾値以上であり、かつ、前記第２の送信時間が前記所定の時間閾値以下の場合に、前記第２の通信部の前記通信方式を切替える、
請求項１記載の通信装置。
【請求項５】
前記保存部はさらに、前記第２の通信方式の契約通信量の残量である第１の通信残量、および前記第３の通信方式の契約通信量の残量である第２の通信残量を保存し、
前記切替部は、前記第１の通信残量と前記第２の通信残量の差分が所定の差分閾値以上の場合に、前記第２の通信部の前記通信方式を切替える、
請求項１記載の通信装置。
【請求項６】
前記第２の通信部は、前記第２の通信方式を用いて前記通信環境情報を受信し、
前記保存部は、受信した前記通信環境情報を保存する、
請求項１記載の通信装置。
【請求項７】
前記第１の通信部は他移動体に搭載された通信装置と通信を行う、
請求項１記載の通信装置。
【請求項８】
前記第２の通信部は第１のＳＩＭと第２のＳＩＭとを有し、
前記第２の通信方式は前記第１のＳＩＭと関連付けられた通信方式であり、前記第３の通信方式は前記第２のＳＩＭと関連付けられた通信方式である、
請求項１記載の通信装置。
【請求項９】
前記第２の通信部は、通信に用いるプロファイル情報を書き換え可能なｅＳＩＭ（embedded SIM）を有し、
前記第２の通信方式は前記プロファイル情報のうち第１のプロファイル情報と関連付けられた通信方式であり、前記第３の通信方式は前記プロファイル情報のうち第２のプロファイル情報と関連付けられた通信方式である、
請求項１記載の通信装置。
【請求項１０】
移動体に搭載され、第１の通信方式を用いて通信を行う第１の通信部（１０１）と第２の通信方式または第３の通信方式を用いて通信を行う第２の通信部（１０２）とを備える通信装置（１０）で実行される通信方法であって、
前記移動体が移動を予定している移動予定位置を取得し、
位置情報と対応付けられた前記第１乃至第３の通信方式の通信環境を示す通信環境情報に基づいて、前記移動予定位置のうち、前記第１の通信方式、前記第２の通信方式、および前記第３の通信方式のいずれを用いても通信可能な位置を切替可能位置として特定し、
前記切替可能位置において、前記第２の通信部の通信方式を、通信中の通信方式である前記第２の通信方式から前記第３の通信方式に切替え、
前記第２の通信部の前記通信方式を切替える間、前記第１の通信部が前記第１の通信方式を用いて通信を行い、前記通信方式の切替えが完了すると、前記第２の通信部は前記第３の通信方式を用いて通信を開始する、
通信方法。
【請求項１１】
移動体に搭載され、第１の通信方式を用いて通信を行う第１の通信部（１０１）と第２の通信方式または第３の通信方式を用いて通信を行う第２の通信部（１０２）とを備える通信装置（１０）で実行される通信プログラムであって、
前記移動体が移動を予定している移動予定位置を取得し、
位置情報と対応付けられた前記第１乃至第３の通信方式の通信環境を示す通信環境情報に基づいて、前記移動予定位置のうち、前記第１の通信方式、前記第２の通信方式、および前記第３の通信方式のいずれを用いても通信可能な位置を切替可能位置として特定し、
前記切替可能位置において、前記第２の通信部の通信方式を、通信中の通信方式である前記第２の通信方式から前記第３の通信方式に切替え、
前記第２の通信部の前記通信方式を切替える間、前記第１の通信部が前記第１の通信方式を用いて通信を行い、前記通信方式の切替えが完了すると、前記第２の通信部は前記第３の通信方式を用いて通信を開始する、
通信プログラム。
【請求項１２】
移動体に搭載され、第１の通信方式を用いて通信を行う第１の通信部（３０１）と第２の通信方式または第３の通信方式を用いて通信を行う第２の通信部（３０２）とを備え、前記第２の通信部の通信方式を切替える間は前記第１の通信部が前記第１の通信方式を用いて通信を行い、前記通信方式の切替えが完了すると、前記第２の通信部が前記第３の通信方式を用いて通信を開始する通信装置（３０）、と通信を行う通信制御装置（２０）であって、
前記通信装置から、前記移動体が移動を予定している移動予定位置を受信する受信部（２０１）と、
位置情報と対応付けられた前記第１乃至第３の通信方式の通信環境を示す通信環境情報が保存されている保存部（２０２）と、
前記通信環境情報に基づいて、前記移動予定位置のうち、前記第１の通信方式、前記第２の通信方式、および前記第３の通信方式のいずれを用いても通信可能な位置を切替可能位置として特定する特定部（２０３）と、
前記切替可能位置において、前記第２の通信部の通信方式を通信中の通信方式である前記第２の通信方式から前記第３の通信方式に切替えることを指示する信号を前記通信装置に送信する送信部（２０４）と、
を備える、通信制御装置。
【請求項１３】
移動体に搭載され、第１の通信方式を用いて通信を行う第１の通信部（３０１）と第２の通信方式または第３の通信方式を用いて通信を行う第２の通信部（３０２）とを備え、前記第２の通信部の通信方式を切替える間は前記第１の通信部が前記第１の通信方式を用いて通信を行い、前記通信方式の切替えが完了すると、前記第２の通信部が前記第３の通信方式を用いて通信を開始する通信装置（３０）、と通信を行う通信制御装置（２０）で実行される通信制御方法であって、
前記通信装置から、前記移動体が移動を予定している移動予定位置を受信し、
位置情報と対応付けられた前記第１乃至第３の通信方式の通信環境を示す通信環境情報に基づいて、前記移動予定位置のうち、前記第１の通信方式、前記第２の通信方式、および前記第３の通信方式のいずれを用いても通信可能な位置を切替可能位置として特定し、
前記切替可能位置において、前記第２の通信部の通信方式を通信中の通信方式である前記第２の通信方式から前記第３の通信方式に切替えることを指示する信号を前記通信装置に送信する、
通信制御方法。
【手続補正２】
【補正対象書類名】明細書
【補正対象項目名】０００９
【補正方法】変更
【補正の内容】
【０００９】
上記課題を解決するために、移動体に搭載される通信装置（１０）は、第１の通信方式を用いて通信を行う第１の通信部（１０１）と、第２の通信方式または第３の通信方式を用いて通信を行う第２の通信部（１０２）と、前記移動体が移動を予定している移動予定位置を取得する予定位置取得部（１０３）と、位置情報と対応付けられた前記第１乃至第３の通信方式の通信環境を示す通信環境情報が保存されている保存部（１０４）と、前記通信環境情報に基づいて、前記移動予定位置のうち、前記第１の通信方式、前記第２の通信方式、および前記第３の通信方式のいずれを用いても通信可能な位置を切替可能位置として特定する特定部（１０５）と、前記切替可能位置において、前記第２の通信部の通信方式を、通信中の通信方式である前記第２の通信方式から前記第３の通信方式に切替える切替部（１０６）と、を備え、前記第１の通信部は、前記切替部が前記第２の通信部の前記通信方式を切替える間、前記第１の通信方式を用いて通信を行い、前記第２の通信部は、前記切替部での前記通信方式の切替えが完了すると、前記第３の通信方式を用いて通信を開始する。